(57)【要約】【課題】遠隔監視及び情報収集はリアルタイムで行えて多種の機器の設置を必要とせず、また、第三者へ映像、音声情報が漏洩しない遠隔監視システムを提供すること。【解決手段】監視側の動画送受信機能付きの情報端末１３と、被監視側の動画送受信機能付きの情報端末１４と、被監視側に設置され、入力された映像信号、音声信号、センサ信号等の情報信号を監視側の情報端末１３から送信された選択要求信号に基づき選択し、その選択された信号を被監視側の情報端末１４を経由して監視側の情報端末１３に送信するビジュアルセレクター５と、監視側の情報端末から送信されたパスワードを確認する手段とを備えている遠隔監視システム。【選択図】　　図４
2004147108.tif 000002
【特許請求の範囲】
【請求項１】
監視側の動画送受信機能付きの情報端末と、
被監視側の動画送受信機能付きの情報端末と、
被監視側に設置され、入力された映像信号、音声信号、センサ信号等の情報信号を監視側の情報端末から送信された選択要求信号に基づき選択し、その選択された信号を被監視側の情報端末を経由して監視側の情報端末に送信するビジュアルセレクターと、
監視側の情報端末から送信されたパスワードを確認する手段とを備えている遠隔監視制御システム。
【請求項２】
ビジュアルセレクターが、監視側の情報端末から送信された制御要求信号に基づき、被監視側の機器へ制御信号を送信する制御信号送信部を備えている請求項１に記載の遠隔監視制御システム。
【請求項３】
監視側及び被監視側の情報端末がテレビ電話であり、監視側のテレビ電話と被監視側のテレビ電話とが電話回線により接続されている請求項１又は２に記載の遠隔監視制御システム。
【請求項４】
監視側及び被監視側の情報端末が動画送受信機能付きの携帯電話又は携帯情報端末であり、監視側の情報端末と被監視側の情報端末との通信を無線で行う請求項１又は２に記載の遠隔監視制御システム。
【発明の詳細な説明】
【０００１】
【発明の属する技術分野】
本発明は、テレビ電話、携帯電話、携帯情報端末（ＰＤＡ）等の動画送受信機能付きの情報端末を利用して店舗や事務所内などを離れた場所で監視することができる遠隔監視制御システムに関するものである。
【０００２】
【従来の技術】
従来より、離れた場所にある店舗などをテレビ電話等の情報端末により遠隔監視するシステムがあるが、これは被監視側の情報端末から送信されてくる画像、音声等を監視側のテレビ電話等の情報端末で監視するとともに、監視側に設置されたコンピューター（制御用端末）からモデムを経由して被監視側に映像信号選択、音声信号選択等の制御信号を送信し制御するようにしたものである（例えば特許文献１、２参照。）。
【０００３】
【特許文献１】
特開２０００−１８２１９５号公報
【０００４】
【特許文献２】
特開２０００−２０１２３２号公報
【０００５】
【発明が解決しようとする課題】
しかし、従来の遠隔監視制御システムでは、映像信号選択、音声信号選択等の選択要求信号を送るために、本部や自宅などの監視側にはテレビ電話等の情報端末以外に制御用専用端末が必要であり、システム全体が大きくなり高価であった。また、セキュリティ面において、第三者が情報端末に接続さえできれば、簡単に映像、音声情報が得られるということがあり問題があった。
【０００６】
そこで、本発明は、遠隔監視及び情報収集はリアルタイムで行えて多種の機器の設置を必要とせず、また、第三者へ映像、音声情報が漏洩しない遠隔監視制御システムを提供するものである。
【０００７】
【課題を解決するための手段】
本発明の遠隔監視制御システムは、監視側の動画送受信機能付きの情報端末と、被監視側の動画送受信機能付きの情報端末と、被監視側に設置され、入力された映像信号、音声信号、センサ信号等の情報信号を監視側の情報端末から送信された選択要求信号に基づき選択し、その選択された信号を被監視側の情報端末を経由して監視側の情報端末に送信するビジュアルセレクターと、監視側の情報端末から送信されたパスワードを確認する手段とを備えていることを特徴とする。
【０００８】
【発明の実施の形態】
本発明では、監視側及び被監視側の情報端末としてテレビ電話を設置し、被監視側に設置された複数台のテレビカメラの信号、その他のビデオ信号、音声信号、センサ信号は、ビジュアルセレクター、被監視側のテレビ電話を経由して監視側のテレビ電話により監視できる。
【０００９】
また、被監視側の映像、音声は監視側のテレビ電話の数字キィーや記号キィーの操作により簡単に切替ができるので追従監視が可能となる。したがって、監視側の操作により被監視側、例えば店舗の場合、万引き等の一部始終を監視でき、録画装置に録画できる。
【００１０】
また、被監視側の各機器にセンサーを接続しデータ収集を行い、これをマイクロコンピューターにて処理し映像データや音声データに変換する。変換された映像や音声データは、テレビ電話を通してモニターできるので、防犯監視以外の情報も得ることが可能となる。
【００１１】
また、ビジュアルセレクターは、監視側のテレビ電話から送信された制御要求信号に基づき、被監視側の機器へＯＮ／ＯＦＦ信号等の制御信号を送信する制御信号送信部を備えることもできる。
【００１２】
セキュリティーに関しても、複数桁のパスワード確認などのセキュリティーチェック機能があるので第三者よりの不法接続を防ぐことができる。
【００１３】
本発明では、監視側及び被監視側の情報端末として動画送受信機能付きの携帯電話又は携帯情報端末（無線式）を使用し、監視側の情報端末と被監視側の情報端末との通信を無線で行うようにすることができる。このような構成にすることで、監視側と被監視側とを結ぶ電話回線が不要となり、システム構成がより簡単になるとともに、電話回線が無い場所や乗り物等での移動中であっても遠隔監視ができるので、介護用監視制御システム、育児監視制御システム、農業用ハウス監視制御システム等として、その利用範囲を拡大することができる。
【００１４】
【実施例】
本発明の実施例を図面を用いて説明する。
【００１５】
図１は、本発明の遠隔監視制御システムの全体構成を示す図、図２は本システムの構成要素であるビジュアルセレクターの構成を示す図である。図１に示すように本部や自宅などの監視側にテレビ電話１が設置され、店舗や駐車場などの被監視側にはテレビ電話６とビジュアルセレクター５が設置されている。監視側のテレビ電話１と被監視側のテレビ電話６とはＩＳＤＮ回線にて接続され、被監視側のテレビ電話６とビジュアルセレクター５とは通信ケーブルにて接続されている。
【００１６】
本発明の遠隔監視制御システムでは、ビジュアルセレクター５に多種多様の映像信号、音声信号あるいはセンサー信号が入力される。映像信号には、例えば、ビデオカメラによるもの、ケーブルテレビ、ＤＶＤデッキ、パソコンによる映像信号がある。
【００１７】
また、音声信号には、例えば、屋外や室内に設置されたマイクによる音声信号、緊急放送設備などの音声、各放送機器の音声がある。
【００１８】
また、センサー信号としては、例えば、赤外線などによる防犯センサーの信号、温度センサー、湿度センサー、自動販売機の防犯センサー、非常スイッチなどがある。
【００１９】
図１からわかるようにシステムの構成としては、監視側及び被監視側のテレビ電話１，６が２台とビジュアルセレクター５が１台という簡単な機器構成で構築される。
【００２０】
次に本発明の遠隔監視制御システムの動作を説明する。
【００２１】
監視側のテレビ電話１よりＩＳＤＮ回線４を使用して被監視側のテレビ電話６に接続する。接続されるとビジュアルセレクター５よりパスワード要求の音声信号、映像信号が返って来るので、テレビ電話１のキィー３の操作により数字、記号を組み合わせた数桁のパスワードをトーン信号で送る。
【００２２】
被監視側のテレビ電話６が受信したパスワードのトーン信号は、図２に示すＤＴＭＦデコーダー７に入りトーン信号は４ビットのディジタル信号に変換され、４ビットの信号の組み合わせにより０から９までの数字と記号に戻される。こうして受信した桁数分の信号は、マイクロコンピューター８にて前もって登録記憶されているパスワードと比較されパスワードが認識されると、操作モードに入り映像信号、音声信号の選択切替が可能となって監視側（本部、自宅）のテレビ電話１に被監視側（店舗、駐車場等）の映像、音声信号が送信され、動画、音声を監視できる状態になる。
【００２３】
映像、音声信号の選択パターン数は、数字の組み合わせによる可能な範囲で設定可能であり、選択動作は、図１の被監視側のテレビ電話１よりキィー３の操作をして選択要求信号として、例えば記号「１」をキィー３の操作によりＩＳＤＮ回線を通して被監視側のテレビ電話６に送る。送られたトーン信号は前述のようにＤＴＭＦデコーダー７で変換され、マイクロコンピューター８を通して記号「１」が認識され選択番号の信号を待つ状態になる。次に送られてきた数字を次々と記憶し終了を表す記号「２」の信号受信により複数桁の選択要求信号を認識する。認識された選択要求信号はマイクロコンピューター８の記憶回路に設定された情報に従って制御部９により映像、音声信号切替部１０、センサー信号変換器１１が動作し図１の被監視側のテレビ電話６、ＩＳＤＮ回線４を経由して監視側のテレビ電話１のＬＣＤ２に表示される。
【００２４】
図３は被監視側に複数のテレビ電話を設置したシステム構成の例を示す図で、図１と同一構成には同一符号を付し、その説明は省略する。
【００２５】
図３に示すように、複数の店舗や駐車場に被監視側のテレビ電話６及びビジュアルセレクター５を設置する場合でも、本部や自宅の監視側には１台のテレビ電話１のみを設置するだけで、各箇所をリアルタイムで監視可能である。
【００２６】
図４は監視側及び被監視側の情報端末を携帯電話とした場合のシステム構成の例を示す図で、図１と同一構成には同一符号を付し、その説明は省略する。
【００２７】
図４において、監視側の携帯電話１３と被監視側の携帯電話１４は、いずれも動画送受信機能付きのものであり、アンテナ１２にて電波を送受信することにより無線で選択要求信号（トーン信号）や映像、音声信号などを送受信することができる。これによって、携帯電話の電波が届く場所であれば、あらゆる場所から店舗や駐車場などを監視することができる。なお、携帯電話の駆動用電力は、外部の商用電源から供給するもできるし、内蔵式のバッテリから供給することもできる。内蔵式のバッテリにすれば、電源の有無による場所の制約が皆無になる。
【００２８】
また、先に説明した図３のシステムにおいて被監視側のテレビ電話６を携帯電話に代えることもでき、そうすれば、複数の箇所をリアルタイムで監視することができる。なお、携帯電話に代えて、動画送受信機能付きの無線式の携帯情報端末を使用することもできる。
【００２９】
図５は、本発明の他の実施例の全体構成図、図６は、その構成要素であるビジュアルセレクターの構成を示す図である。本実施例では、図６に示すように、ビジュアルセレクター５に制御信号送信部１５を設け、制御信号送信部１５から送信される制御信号により被監視側の各機器の制御を行うようにしている。
【００３０】
被監視側の各機器の制御を行う場合、図５に示す監視側の携帯電話１３よりキィー３の操作をして制御要求信号をトーン信号として被監視側の携帯電話１４に送信する。送信された制御要求信号は、前述の選択要求信号と同様にＤＴＭＦデコーダー７で変換され、マイクロコンピューター８の記憶回路に設定された情報に従って制御部９により制御信号送信部１５が動作し、各機器のＯＮ／ＯＦＦ信号等の制御信号が送信される。制御対象となる機器の選択、制御信号の選択は、監視側の携帯電話１３のキィー３の操作による数字の組み合わせによって設定することができる。
【００３１】
このように、本実施例のビジュアルセレクター５は制御信号送信部１５を備えているので、被監視側の各機器の状況を監視しながら、各機器の制御を行うことができる。
【００３２】
【発明の効果】
被監視側にビジュアルセレクターを設置することにより、監視側にはテレビ電話、携帯電話、携帯情報端末等の情報端末を設置するのみで、遠隔監視が可能となるため、システム構成が簡単で、容易に遠隔監視制御システムを構築できるので、従来以上に防犯能力が向上する。また、現場の情報収集も容易となる。
【００３３】
情報端末として動画送受信機能付きの携帯電話又は携帯情報端末（無線式）を使用し、監視側と被監視側との通信を無線で行うようにすれば、監視側と被監視側とを結ぶ電話回線が不要となり、システム構成がより簡単になるとともに、電話回線が無い場所や乗り物等での移動中であっても遠隔監視ができるので、介護用監視制御システム、育児監視制御システム、農業用ハウス監視制御システム等として、その利用範囲を拡大することができる。
【００３４】
情報端末としてテレビ電話を使用した場合であっても、電話回線が使用可能な場所（モジュラージャックの公衆電話設置個所、ホテル等）であればテレビ電話を接続するだけで自宅、事務所以外からでも監視可能である。
【００３５】
さらに、ビジュアルセレクターに制御信号送信部を設けたものでは、被監視側の各機器の状況を監視しながら、各機器の制御を行うことができる。
【図面の簡単な説明】
【図１】本発明の全体構成を示す図である。
【図２】本発明におけるビジュアルセレクターの構成を示す図である。
【図３】被監視側に複数のテレビ電話を設置したシステム構成の例を示す図である。
【図４】監視側及び被監視側の情報端末を携帯電話とした場合のシステム構成の例を示す図である。
【図５】本発明の別実施例の全体構成を示す図である。
【図６】図５の実施例におけるビジュアルセレクターの構成を示す図である。
【符号の説明】
１：監視側のテレビ電話
２：ＬＣＤディスプレイ
３：キィー（トーン信号用ダイアルキィー）
４：ＩＳＤＮ回線（電話回線）
５：ビジュアルセレクター
６：被監視側のテレビ電話
７：ＤＴＭＦデコーダー
８：マイクロコンピューター
９：制御部
１０：映像、音声信号切替部
１１：信号変換器
１２：携帯電話のアンテナ
１３：監視側の携帯電話
１４：被監視側の携帯電話
１５：制御信号送信部
【図１】
2004147108.tif 000003
【図２】
2004147108.tif 000004
【図３】
2004147108.tif 000005
【図４】
2004147108.tif 000006
【図５】
2004147108.tif 000007
【図６】
2004147108.tif 000008